(57)【特許請求の範囲】
【請求項１】
区画された複数の製氷ブロックを有する製氷皿と、
前記製氷皿に保持された水を冷却して氷を生成する冷却部と、
前記製氷皿を加熱するヒータと、
前記ヒータによって加熱された前記製氷皿に力を加えることで、前記製氷皿から氷を離氷させる離氷装置と
を備え、
前記離氷装置は、
前記製氷皿から第１の大きさの氷を離氷させる第１の動作モードと、
前記製氷皿から前記第１の大きさの氷よりも小さい第２の大きさの氷を離氷させる第２の動作モードと
を有し、
前記第２の動作モードでは、前記離氷装置が前記製氷皿に力を加え、前記製氷ブロックの内部の氷に凝集破壊を生じさせることによって前記第２の大きさの氷を生成する
製氷装置。
【請求項２】
前記第２の動作モードでは、前記ヒータが前記製氷皿を加熱していない状態で、前記離氷装置が前記製氷皿に力を加えることにより、前記製氷皿の内部の氷に凝集破壊を生じさせる
請求項１に記載の製氷装置。
【請求項３】
前記製氷皿は、回転軸を中心として回転可能であり、
前記離氷装置は、前記製氷皿にひねりを加えることで、前記製氷皿から氷を離氷させる
請求項１または２に記載の製氷装置。
【請求項４】
前記回転軸の方向における前記製氷皿の一方の側に、前記離氷装置が配置され、
前記回転軸の方向における前記製氷皿の他方の側に、前記製氷皿の回転を規制する回転規制部が配置されている
請求項３に記載の製氷装置。
【請求項５】
前記第１の動作モードでは、前記製氷皿から氷を離氷させる際に、前記離氷装置が前記製氷皿を第１の方向に回転させ、
前記第２の動作モードでは、前記製氷皿から氷を離氷させる際に、前記離氷装置が前記製氷皿を前記第１の方向とは反対の第２の方向に回転させる
請求項１から４までの何れか１項に記載の製氷装置。
【請求項６】
前記製氷皿は、金属で形成されている
請求項１から５までの何れか１項に記載の製氷装置。
【請求項７】
前記製氷皿は、ステンレス鋼で形成されている
請求項６に記載の製氷装置。
【請求項８】
前記製氷皿は、前記製氷ブロックの内面に金属層を有する
請求項１から５までの何れか１項に記載の製氷装置。
【請求項９】
前記製氷皿は樹脂で形成され、前記製氷ブロックの内面の面粗さが、前記製氷皿の他の部分の面粗さよりも粗い
請求項１から５までの何れか１項に記載の製氷装置。
【請求項１０】
氷を生成する製氷装置と、
前記製氷装置に水を供給する給水部と、
前記製氷装置で生成された氷を貯蔵する貯氷容器と
を備え、
前記製氷装置は、
区画された複数の製氷ブロックを有する製氷皿と、
前記製氷皿に保持された水を冷却して氷を生成する冷却部と、
前記製氷皿を加熱するヒータと、
前記ヒータによって加熱された前記製氷皿に力を加えることで、前記製氷皿から氷を離氷させる離氷装置と
を備え、
前記離氷装置は、
前記製氷皿から第１の大きさの氷を離氷させる第１の動作モードと、
前記製氷皿から前記第１の大きさの氷よりも小さい第２の大きさの氷を離氷させる第２の動作モードと
を有し、
前記第２の動作モードでは、前記離氷装置が前記製氷皿に力を加え、前記製氷ブロックの内部の氷に凝集破壊を生じさせることによって前記第２の大きさの氷を生成する
冷蔵庫。
【請求項１１】
前記第１の動作モードでは、前記製氷皿から氷を離氷させる際に、前記離氷装置が前記製氷皿を第１の方向に回転させ、
前記第２の動作モードでは、前記製氷皿から氷を離氷させる際に、前記離氷装置が前記製氷皿を前記第１の方向とは反対の第２の方向に回転させ、
前記貯氷容器は、前記第１の方向に回転した前記製氷皿から離氷した氷を貯蔵する第１の貯氷エリアと、前記第２の方向に回転した前記製氷皿から離氷した氷を貯蔵する第２の貯氷エリアとを有する
請求項１０に記載の冷蔵庫。
【請求項１２】
前記貯氷容器は、前記第１の貯氷エリアと前記第２の貯氷エリアとを仕切る仕切壁を有し、
前記仕切壁は、前記第１の貯氷エリアおよび前記第２の貯氷エリアの比率を変化させるように移動可能である、
請求項１１に記載の冷蔵庫。
【請求項１３】
前記離氷装置の前記第１の動作モードと前記第２の動作モードを入力可能な操作部をさらに備えた
請求項１０から１２までの何れか１項に記載の冷蔵庫。
【発明の詳細な説明】
【技術分野】
【０００１】
この発明は、一つの製氷皿で大きさの異なる複数種類の氷を生成可能な製氷装置、およびその製氷装置を備えた冷蔵庫に関する。
【背景技術】
【０００２】
一般的な製氷装置で生成される氷の大きさは一定であるが、製氷装置の使用者は、大きさの異なる複数種類の氷を必要とする場合がある。例えば、水筒に飲み物を入れて持ち歩く場合には、低温を長時間保つことができる大きな氷（ブロックアイス）が便利である。一方、熱い飲み物を急いで冷やす場合、あるいは皿の上で刺身などの下に敷く場合には、より大きさの小さいクラッシュドアイスが便利である。【０００３】
例えば、特許文献１には、底板上に複数の突起を設けることにより、大きさの異なるクラッシュドアイスを生成する製氷皿が提案されている。【０００４】
また、特許文献２には、冷凍室内に、生成される氷の大きさが異なる２つの製氷皿を備えた冷蔵庫が提案されている。【０００５】
また、特許文献３には、扉に設けた操作部に選択ボタンを設け、使用者がクラッシュドアイスを選択した場合には製氷皿で生成したブロックアイスを氷破砕部で破砕してクラッシュドアイスとして提供する冷蔵庫が提案されている。
【先行技術文献】
【特許文献】
【０００６】
【特許文献１】特開２００７−２１２０５１号公報（段落００６１〜００６３）
【特許文献２】特許３７８１７６７号公報（段落００３８）
【特許文献３】特開２０１０−２０３６５８号公報（段落０１２８〜０１３２）
【発明の概要】
【発明が解決しようとする課題】
【０００７】
しかしながら、特許文献１に開示された製氷皿では、大きいクラッシュドアイスと小さいクラッシュドアイスとが分離されていないため、使用者が所望の大きさのクラッシュドアイスを選び出す必要があり、不便である。【０００８】
また、特許文献２に開示された冷蔵庫では、大小どちらか一方の氷の需要のみが高い場合に、製氷スペースの半分で需要に合った氷を生成することになる。そのため、十分な量の氷を生成することができず、氷の利用頻度の高い夏期などに氷切れを起こす可能性がある。【０００９】
また、特許文献３に開示された冷蔵庫では、製氷室に氷破砕部を設ける必要があるため、製造コストが上昇する。また使用者が氷破砕部を清掃する必要があり、不便である。【００１０】
本発明は、上記の課題を解決するためになされたものであり、使用者の選択に応じて、大きさの異なる氷を生成可能な製氷装置、およびその製氷装置を備えた冷蔵庫を提供することを目的とする。
【課題を解決するための手段】
【００１１】
本発明の製氷装置は、区画された複数の製氷ブロックを有する製氷皿と、製氷皿に保持された水を冷却して氷を生成する冷却部と、製氷皿を加熱するヒータと、ヒータによって加熱された製氷皿に力を加えることで、製氷皿から氷を離氷させる離氷装置とを備える。離氷装置は、製氷皿から第１の大きさの氷を離氷させる第１の動作モードと、製氷皿から第１の大きさの氷よりも小さい第２の大きさの氷を離氷させる第２の動作モードとを有する。第２の動作モードでは、離氷装置が製氷皿に力を加え、製氷ブロックの内部の氷に凝集破壊を生じさせることによって第２の大きさの氷を生成する。
【発明の効果】
【００１２】
本発明の冷蔵庫によれば、離氷装置が、製氷皿から離氷する氷の大きさを選択可能に構成されているため、使用者の選択により、大きさの異なる複数種類の氷を生成することができる。
【図面の簡単な説明】
【００１３】
【図１】この発明の実施の形態１の冷蔵庫を示す側断面図である。
【図２】この発明の実施の形態１の冷蔵庫を示す正面図である。
【図３】この発明の実施の形態１の製氷装置を示す断面図である。
【図４】この発明の実施の形態１の製氷装置を示す断面図である。
【図５】この発明の実施の形態１の製氷装置のストッパ機構を示す模式図である。
【図６】この発明の実施の形態１の製氷装置の貯氷容器を示す斜視図である。
【図７】この発明の実施の形態１の製氷装置の制御系を示すブロック図である。
【図８】この発明の実施の形態１の冷蔵庫の製氷動作を示すフローチャートである。
【図９】この発明の実施の形態１の冷蔵庫の製氷動作を示すタイミングチャートである。
【図１０】この発明の実施の形態１の製氷皿の材質による付着強度の違いを示すグラフ（Ａ）、（Ｂ）である。
【図１１】この発明の実施の形態１の第１の変形例の製氷皿（Ａ）および第２の変形例の製氷皿（Ｂ）を示す断面図である。
【発明を実施するための形態】
【００１４】
実施の形態１．
＜冷蔵庫の構成＞
この発明の実施の形態１について、図面を参照して説明する。図１は、実施の形態１の冷蔵庫を示す側断面図である。図２は、実施の形態１の冷蔵庫を示す正面図である。冷蔵庫１は、例えば家庭用冷蔵庫である。冷蔵庫１は、複数の貯蔵室、すなわち、冷蔵室１１、製氷室１４、切替室１５（図２）、冷凍室１７および野菜室１８を備えている。
【００１５】
ここでは、冷蔵室１１が最上段に配置され、その下に製氷室１４と切替室１５とが左右に並んで配置され、その下に冷凍室１７が配置され、最下段に野菜室１８が配置されている。但し、このような配置に限定されるものではない。
【００１６】
冷蔵室１１は、前面に観音開き（あるいは片開き）の回動扉１１ａを備えている。冷蔵室１１の内部は、食品棚１１ｂによって複数の空間に区画されている。冷蔵室１１には、製氷室１４に製氷用の水を供給するための給水タンク１６が配置されている。
【００１７】
製氷室１４は、前面に引き出し扉１４ａを備え、内部に製氷皿４０と貯氷容器５０とを備えている。製氷皿４０は、区画された複数の製氷ブロック４１（区画室）を有し、各製氷ブロック４１内で氷が生成される。貯氷容器５０は、製氷皿４０から離氷した氷を貯蔵する容器であり、製氷皿４０の下方に配置されている。製氷皿４０および貯氷容器５０の構成については、後述する。
【００１８】
製氷室１４と冷蔵室１１とを貫通するように、給水配管１３が設けられている。冷蔵室１１内の給水タンク１６に貯蔵された水は、給水ポンプ７（図７）により、給水配管１３を経由して、製氷室１４の上部に設けられた製氷皿４０に供給される。給水ポンプ７は、モータと給水タンク１６内の回転体とを備える。また、給水配管１３には、給水をオンオフする給水用電磁弁８（図７）が設けられる。給水配管１３、給水タンク１６および給水用電磁弁８は、給水部を構成している。
【００１９】
なお、図１では製氷皿４０と貯氷容器５０とを同じ製氷室１４に収納しているが、製氷皿４０と貯氷容器５０とをそれぞれ別の貯蔵室に設けてもよい。また、貯氷容器５０に貯蔵された氷は、使用者が引き出し扉１４ａを開いて取り出すが、これに限定するものではない。例えば、冷蔵庫１の前面にディスペンサ部を設け、引き出し扉１４ａを開かずに氷を取り出せるようにしてもよい。
【００２０】
切替室１５（図２）は、後述する操作パネル１２により複数の設定温度（例えば、冷凍の温度帯またはソフト冷凍の温度帯など）に切り替えが可能な貯蔵室である。
【００２１】
冷凍室１７は、前面に引き出し扉１７ａを備え、内部に食品収納ケース１７ｂを備えている。野菜室１８は、前面に引き出し扉１８ａを備え、内部に野菜収納ケース１８ｂを備えている。野菜収納ケース１８ｂには、野菜および大型（例えば２リットル）のペットボトルなどが収納される。なお、冷蔵庫１の各貯蔵室は、これらの例に限定されるものではない。
【００２２】
冷蔵庫１は、発泡ウレタンまたは真空断熱材などの断熱部材で構成された筐体２２によって覆われている。また、冷蔵庫１の各貯蔵室の間には、発泡ウレタンまたは真空断熱材などの断熱部材で構成された隔壁（断熱壁）が設けられている。
【００２３】
冷蔵庫１は、各貯蔵室を冷却するための冷凍サイクル２０を有している。冷凍サイクル２０は、冷蔵庫１の背面側（後方）の下部に設けられた圧縮機２８と、圧縮機２８から吐出された冷媒を凝縮させる凝縮器と、凝縮器から流出した冷媒を膨張させる絞り装置と、絞り装置で膨張した冷媒との熱交換によって空気を冷却する冷却器２６と、冷却された空気を各貯蔵室に送るための送風機（送風ファン）２５と、空気の通路である送風路２４とを備えている。送風機２５の下側には、霜取装置２７が配置されている。
【００２４】
冷却器２６によって冷却された空気は、送風機２５によって、送風路２４を経て各貯蔵室（冷蔵室１１、製氷室１４、切替室１５、冷凍室１７および野菜室１８）に送られ、各貯蔵室の内部を冷却する。各貯蔵室内の収納物を冷却して暖められた空気は、各貯蔵室に設けられた吸込口から戻りダクトを経由して冷却器２６の周囲に戻り、冷却器２６によって冷却され、再び各貯蔵室に送風される。
【００２５】
冷蔵庫１の前面には、操作部としての操作パネル１２が配設されている。操作パネル１２は、使用者が各貯蔵室の温度などの設定を入力する部分である。操作パネル１２は、また、ブロックアイスおよびクラッシュドアイスのいずれかを選択する氷サイズ設定部を有している。なお、操作パネル１２は、ここでは冷蔵室１１の回動扉１１ａに配置されているが、使用者によって操作しやすい位置であればよい。
【００２６】
冷蔵庫１には、冷蔵庫１の動作を制御する制御部１０が設けられている。制御部１０は、例えば、ＣＰＵ（Ｃｅｎｔｒａｌ  Ｐｒｏｃｅｓｓｉｎｇ  Ｕｎｉｔ）を含むプロセッサあるいはハードウェア回路、およびメモリ等の記憶部を備えて構成されている。
【００２７】
制御部１０は、各貯蔵室に設けられた温度検出センサ（例えばサーミスタ）の出力信号および操作パネル１２の設定情報に基づいて、圧縮機２８および送風機２５、並びに各貯蔵室への冷却空気の供給量を調整するダンパを制御する。すなわち、制御部１０は、各貯蔵室の温度検出センサによる検出温度が各貯蔵室の設定温度と同じになるように、圧縮機２８の容量、送風機２５の送風量、および各ダンパの開度を制御する。
【００２８】
制御部１０は、通信部を介して、外部機器との通信を行うようにしてもよい。この場合、制御部１０は、例えば、スマートフォン（携帯端末）などの外部機器からの設定温度の変更指示あるいは庫内状況の確認指示を受信し、これらの指示に対する応答を外部機器に送信する。
【００２９】
＜製氷室の内部の構成＞
図３は、製氷室１４の内部を示す側断面図である。図３に示すように、製氷室１４は、引き出し扉１４ａ、上部断熱壁７１、下部断熱壁７２（図１）、後部断熱壁７３および左右の断熱壁（図示せず）によって囲まれている。製氷室１４の内部には、箱状のフレーム３０が配置されている。
【００３０】
フレーム３０は、製氷室１４の各断熱壁との間に隙間をあけて固定されている。フレーム３０は、上部壁３１と、前部壁３２と、後部壁３３と、左右の壁（図示せず）とを有し、下面が開放されている。フレーム３０の内側には、製氷皿４０が配置されている。
【００３１】
製氷皿４０は、金属で形成されており、より具体的には、ステンレス鋼の成形体で形成されている。製氷皿４０は、上面に開口した凹状の複数の製氷ブロック４１（区画室）に区画されている。ここでは、製氷ブロック４１は、左右２列に分かれて前後に５個ずつ配列されているが、このような配列に限定されるものではない。各製氷ブロック４１に均等に水を流し込むため、隣接する製氷ブロック４１の間に水路となる切り欠き溝を設けてもよい。
【００３２】
製氷皿４０は、複数の製氷ブロック４１を周囲から囲む枠部（外周部）４２を有している。枠部４２の前端および後端において左右方向の中央部には、支軸４３，４４が突出形成されている。支軸４３，４４は、前後方向に延在する回転軸Ｃ１（図４）を規定する。前方の支軸４３はフレーム３０の支持穴３８で回転可能に支持され、後方の支軸４４は駆動装置３に連結されている。
【００３３】
離氷装置としての駆動装置３は、モータ３ａ（図７）および減速ギアを内蔵し、回転軸Ｃ１を中心として製氷皿４０を回転させる。駆動装置３は、例えば、フレーム３０の後部壁３３に形成された保持部３６に保持されている。
【００３４】
フレーム３０の上部壁３１には、上部断熱壁７１を貫通する上述した給水配管１３に対向する開口部３４が形成されている。給水タンク１６（図１）から給水配管１３を経由して供給される水は、開口部３４から製氷皿４０に供給され、各製氷ブロック４１内に保持される。
【００３５】
フレーム３０の後部壁３３には、開口部３５が形成されている。製氷室１４の後部断熱壁７３には、フレーム３０の開口部３５に対向する位置に吹出口７５が形成され、吹出口７５の下方には吸込口７６が形成されている。吹出口７５から製氷室１４の内部に、送風機２５（図１）によって送風される冷却空気が吹き出す。なお、冷却空気は、冷却器２６（図１）を通過することで冷却された空気である。
【００３６】
吹出口（冷却部）７５から吹き出された冷却空気は、図３に矢印で示すように、開口部３５からフレーム３０の内部に侵入し、製氷皿４０の上面である開放面を通過して製氷ブロック４１内の水を冷却する。また、製氷皿４０の上面を通過した冷却空気は、フレーム３０の下方に抜けて吸込口７６に吸い込まれ、冷却器２６（図１）に向かう。
【００３７】
図４は、製氷皿４０および貯氷容器５０を示す断面図である。製氷皿４０の各製氷ブロック４１は、底面部４１ａと、左右一対の側面部４１ｂと、前後一対の側面部４１ｃ（図３）とを有している。左右一対の側面部４１ｂは、両者の間隔が上方に向かって広がるように傾斜している。製氷ブロック４１の前後一対の側面部４１ｃも、同様に傾斜している。但し、製氷ブロック４１の形状は、このような形状に限定されるものではなく、離氷しやすい形状であればよい。
【００３８】
製氷皿４０には、製氷皿温度センサ５が取り付けられている。製氷皿温度センサ５は、サーミスタ５ａと、サーミスタ５ａに冷却空気が直接当たらないようにサーミスタ５ａを覆う断熱材５ｂとを有している。製氷皿温度センサ５は、製氷ブロック４１内の水が凍結したことを検知可能な位置、例えば製氷皿４０の下部に配置されている。ここでは、製氷皿温度センサ５は、製氷皿４０の左右に隣り合う２つの製氷ブロック４１の間（より具体的には、互いに対向する側面部４１ｂの間）に配置されている。
【００３９】
また、製氷皿４０には、製氷ブロック４１の全体を外側から覆うように、ヒータとしての製氷皿ヒータ６が設けられている。製氷皿ヒータ６は、製氷皿４０のひねり動作（後述）を妨げないよう、例えばシリコーンゴムなどの弾性体で形成されたシートにヒータ（発熱線）を配線した面状発熱体で構成されている。
【００４０】
製氷皿ヒータ６は、例えば、製氷ブロック４１の底面部４１ａに固定された底面部６１と、側面部４１ｂに固定された側面部６２と、側面部４１ｃに固定された側面部６３（図）３とを有している。
【００４１】
図４は、製氷皿４０の回転範囲を規制するストッパ機構を説明するための模式図である。製氷皿４０（図３）の支軸４３は、フレーム３０の前部壁３２に形成された支持穴３８を貫通している。前部壁３２を貫通した支軸４３の先端には、回転板４５が固定されている。回転板４５の外周側には、後方（前部壁３２側）に突出するストッパ４７（突起）が設けられている。ストッパ４７は、前部壁３２に形成された円弧状の溝３７に係合している。溝３７は、支持穴３８の中心（すなわち製氷皿４０の回転軸Ｃ１）を中心として円弧状に延在している。
【００４２】
製氷皿４０が回転軸Ｃ１を中心として回転すると、回転板４５も製氷皿４０と共に回転し、ストッパ４７が溝３７の内部を移動する。ストッパ４７が溝３７の第１の端部３７ａまたは第２の端部３７ｂに当接することで、製氷皿４０の回転範囲が規制される。製氷皿４０の開放面が上を向く回転位置を、回転軸Ｃ１を中心とする基準回転位置とする。製氷皿４０が基準回転位置にあるときには、ストッパ４７は溝３７の中央部分に位置している。
【００４３】
ブロックアイスを生成する場合には、駆動装置３（図３）により、製氷皿４０を図５に矢印Ｒ１で示す方向（第１の方向）に回転させる。製氷皿４０がＲ１方向に回転すると、ストッパ４７が溝３７の第１の端部３７ａに当接して製氷皿４０の回転が停止し、製氷皿４０にはひねり（ねじり）が加わる。図５に矢印Ｒ１で示す方向（以下、Ｒ１方向）は、冷蔵庫１の前方から見て反時計回り方向である。
【００４４】
クラッシュドアイスを生成する場合には、駆動装置３により、製氷皿４０を図５に矢印Ｒ２で示す方向（第２の方向）に回転させる。製氷皿４０がＲ２方向に回転すると、ストッパ４７が溝３７の第２の端部３７ｂに当接して製氷皿４０の回転が停止し、製氷皿４０にはひねりが加わる。図５に矢印Ｒ２で示す方向（以下、Ｒ２方向）は、冷蔵庫１の前方から見て時計回り方向である。なお、ストッパ４７および溝３７は、製氷皿４０の回転範囲を規制する回転規制部（ストッパ機構）を構成している。
【００４５】
図６は、貯氷容器５０を示す斜視図である。貯氷容器５０は、上記の通り、製氷皿４０の回転により離氷した氷を貯める容器である。貯氷容器５０は、上面が開放された箱状の容器であり、底板部５１と、底板部５１の周囲に形成された周壁部５２とを有している。底板部５１と周壁部５２とに囲まれた空間は、仕切板（仕切壁）５５によって左右の貯氷エリア５３，５４に分割されている。
【００４６】
図４に示すように、貯氷容器５０の左側の貯氷エリア（第１の貯氷エリア）５３は、製氷皿４０の回転軸Ｃ１に対して左側に位置している。そのため、貯氷エリア５３には、製氷皿４０がＲ１方向に回転して離氷した氷（ブロックアイス）が落下する。一方、貯氷容器５０の右側の貯氷エリア（第２の貯氷エリア）５４は、製氷皿４０の回転軸Ｃ１に対して右側に位置している。そのため、貯氷エリア５４には、製氷皿４０がＲ２方向に回転して離氷した氷（クラッシュドアイス）が落下する。
【００４７】
貯氷エリア５３，５４を区画する仕切板５５は、貯氷容器５０内で左右に移動可能である。また、仕切板５５の上部にはつまみ５６が設けられている。そのため、使用者は、つまみ５６を把持して仕切板５５を左右に移動させることができる。
【００４８】
仕切板５５を左右に移動させることで、ブロックアイス用の貯氷エリア５３とクラッシュドアイス用の貯氷エリア５４との容積比を変化させることができる。ブロックアイスとクラッシュドアイスのいずれか一方のみを使用する場合には、仕切板５５を取り外してもよい。
【００４９】
貯氷容器５０内が氷で一杯になったことを検出するため、満氷検知センサ９（図７）が設けられている。満氷検知センサ９は、例えば、揺動レバーと光センサとで構成される。この場合、貯氷容器５０に溜まった氷によって揺動レバーが押し上げられると、揺動レバーの揺動を光センサが検知する。これにより、貯氷容器５０が氷で一杯になったこと（満氷状態）を検知することができる。
【００５０】
なお、貯氷容器５０の貯氷エリア５３，５４のそれぞれの満氷を検知できるよう、満氷検知センサ９は、貯氷エリア５３，５４のそれぞれに設けられている。ここでは、貯氷エリア５３の満氷状態を検知する満氷検知センサ９ａ（図７）と、貯氷エリア５４の満氷状態を検知する満氷検知センサ９ｂ（図７）とが設けられている。仕切板５５の移動によって貯氷エリア５３，５４の容積が変化するため、満氷検知センサ９ａの揺動レバーを貯氷容器５０の左端部に設け、満氷検知センサ９ｂの揺動レバーを貯氷容器５０の右端部に設けることが望ましい。
【００５１】
図７は、冷蔵庫１の製氷動作に関する制御系を示すブロック図である。制御部１０には、操作パネル１２からの操作入力、製氷皿温度センサ５からの製氷皿４０の温度情報、および満氷検知センサ９からの貯氷容器５０内の氷量の情報が入力される。操作パネル１２からの操作入力は、使用者が設定した氷サイズ設定の情報（ブロックアイスまたはクラッシュドアイス）を含む。制御部１０は、入力された情報に基づき、給水ポンプ７、給水用電磁弁８、駆動装置３（離氷装置）、および製氷皿ヒータ６を制御する。
【００５２】
以上説明した構成において、製氷皿４０、駆動装置３、製氷皿温度センサ５、製氷皿ヒータ６、回転板４５（ストッパ４７を含む）、溝３７、支持穴３８および制御部１０は、この実施の形態１の製氷装置２を構成している。
【００５３】
＜製氷動作＞
次に、製氷動作について説明する。図８は、この実施の形態１の冷蔵庫１（製氷装置２）における製氷動作を示すフローチャートである。製氷動作を開始する時点で、冷蔵庫１の電源は既に投入されており、圧縮機２８および送風機２５は動作している。すなわち冷凍サイクル２０は既に作動している。
【００５４】
製氷動作を開始すると、制御部１０は、給水ポンプ７を駆動して、給水タンク１６の水を製氷皿４０に一定時間供給する（ステップＳ１）。これにより、製氷皿４０の各製氷ブロック４１に水が供給される。製氷室１４の内部には、送風機２５により吹出口７５（図３）から冷却空気が吹き出しているため、製氷皿４０内の水が冷却され、製氷が進行する。
【００５５】
次に、制御部１０は、製氷皿温度センサ５の検出温度Ｔｉｔを取得し、第１の基準温度（例えば−１８℃）と比較する（ステップＳ２）。第１の基準温度は、製氷皿４０内の水が完全に凍結して製氷皿４０に対する氷の付着強度が最高値に達するときの製氷皿温度センサ５の検出温度である。第１の基準温度は、予め実験的に求められ、不揮発性メモリ等に記憶されている。製氷皿温度センサ５の検出温度Ｔｉｔが第１の基準温度より低くなると、製氷が完了したものと考えることができる。
【００５６】
制御部１０は、製氷皿温度センサ５の検出温度Ｔｉｔが第１の基準温度より低くなった場合には、次のステップＳ３に進み、使用者が操作パネル１２で選択している氷サイズ設定を確認する。氷サイズ設定（Ｉｃｅ＿Ｓｉｚｅ）は、ブロックアイスの場合は１であり、クラッシュドアイスの場合は２である。
【００５７】
冷蔵庫１の使用者がブロックアイスを選択している場合には（氷サイズ設定＝１）、製氷皿４０内の氷を細かくする必要がないため、ステップＳ４に進み、製氷皿ヒータ６の通電を開始する。
【００５８】
製氷皿ヒータ６の通電を開始した後、製氷皿温度センサ５の検出温度Ｔｉｔを取得し、第２の基準温度（例えば−１℃）と比較する（ステップＳ５）。第２の基準温度は、製氷皿４０と氷との界面に疑似液体層が生じるときの製氷皿温度センサ５の検出温度である。第２の基準温度は、予め実験的に求められ、不揮発性メモリ等に記憶されている。
【００５９】
製氷皿温度センサ５の検出温度Ｔｉｔが第２の基準温度（例えば−１℃）以上になった場合には、ステップＳ６〜Ｓ１０の離氷動作を行う。
【００６０】
まず、制御部１０は、駆動装置３（より具体的にはモータ３ａ）を正転方向に時間ｔｒ１だけ回転させる（ステップＳ６，Ｓ７）。この正転方向は、氷サイズ設定が１（ブロックアイス）の場合には、図４，５に示したＲ１方向である。駆動装置３の正転方向の回転により、製氷皿４０も基準回転位置から正転方向に回転する。
【００６１】
駆動装置３の回転時間ｔｒ１は、ストッパ４７（図５）が溝３７の第１の端部３７ａに当接するまでの時間よりも僅かに長く設定されている。そのため、製氷皿４０の前端部が角度Ａ（例えば９０度）だけ正転方向に回転するのに対し、製氷皿４０の後端部は角度Ａ＋αだけ正転方向に回転する。
【００６２】
このように、製氷皿４０は、前端部と後端部（回転軸Ｃ１方向の両端部）で回転角度が異なるため、製氷皿４０にひねりが加わる。製氷皿温度センサ５の検出温度は−１℃以上であり、氷の付着力が低下しているため、製氷皿４０のひねりによって製氷ブロック４１から氷が離氷する。離氷した氷は、貯氷容器５０の貯氷エリア５３（図４）に落下する。
【００６３】
その後、制御部１０は、駆動装置３を反転方向に時間Ｔｒ１だけ回転させる（ステップＳ８，Ｓ９）。この反転方向は、氷サイズ設定が１（ブロックアイス）の場合には、図４，５に示したＲ２方向である。これにより、製氷皿４０は反転方向に回転し、基準回転位置に戻る。その後、制御部１０は、駆動装置３を停止する（ステップＳ１０）。
【００６４】
駆動装置３が停止した後、満氷検知センサ９ａにより貯氷容器５０の貯氷エリア５３が満氷状態か否かをチェックし（ステップＳ１１）、満氷状態の場合には製氷動作を停止し、満氷状態でない場合には、上述したステップＳ１に戻る。なお、使用者が貯氷容器５０から氷を取り出し、貯氷容器５０の貯氷エリア５３が満氷状態でなくなった場合には、ステップＳ１１を経て、上述したステップＳ１に戻る。
【００６５】
一方、上述したステップＳ３において、冷蔵庫１の使用者がクラッシュドアイスを選択している場合（氷サイズ設定＝２）には、製氷皿４０内の氷を細かくする必要があるため、製氷皿ヒータ６への通電（ステップＳ４）を行う前に、ステップＳ１２〜Ｓ１５の凝集破壊動作を行う。
【００６６】
まず、制御部１０は、駆動装置３（より具体的にはモータ３ａ）を正転方向に時間ｔｒ２だけ回転させる（ステップＳ１２，Ｓ１３）。この正転方向は、図４，５に示したＲ１方向である。駆動装置３の正転方向の回転により、製氷皿４０も基準回転位置から正転方向に回転する。
【００６７】
駆動装置３の回転時間ｔｒ２は、ストッパ４７（図５）が溝３７の第１の端部３７ａに当接するまでの時間よりも僅かに長く設定されている。時間ｔｒ２は、離氷動作における時間ｔｒ１と同じとしてもよく、また、より確実に凝集破壊（破断）を行うために時間ｔｒ１より長くしてもよい。製氷皿４０の前端部が角度Ａだけ正転方向に回転するのに対し、製氷皿４０の後端部は角度Ａ＋βだけ正転方向に回転する。
【００６８】
このように、製氷皿４０は、前端部と後端部（回転軸Ｃ１方向の両端部）で回転角度が異なるため、製氷皿４０にひねりが加わる。製氷皿温度センサ５の検出温度は−１８℃以下であるため、製氷ブロック４１の内面に対する氷の付着強度は氷内部の凝集破壊強度よりも高く、その結果、氷の凝集破壊が生じる。また、氷の凝集破壊が生じた後も、氷は各製氷ブロック４１の内面に付着している。
【００６９】
その後、制御部１０は、駆動装置３を反転方向に時間Ｔｒ２だけ回転させる（ステップＳ１４，Ｓ１５）。この反転方向は、図４，５に示したＲ２方向である。これにより、製氷皿４０は反転方向に回転し、基準回転位置に戻る。その後、制御部１０は、駆動装置３を停止する（ステップＳ１６）。
【００７０】
次に、制御部１０は、ステップＳ４に進んで製氷皿ヒータ６の通電を開始し、製氷皿温度センサ５の検出温度Ｔｉｔが第２の基準温度（例えば−１℃）以上になった場合（ステップＳ５）には、上述したステップＳ６〜Ｓ１０の離氷動作を行う。
【００７１】
すなわち、制御部１０は、駆動装置３を正転方向に時間ｔｒ１だけ回転させる（ステップＳ６，Ｓ７）。この正転方向は、氷サイズ設定が２（クラッシュドアイス）の場合には、図４，５に示したＲ２方向である。駆動装置３の正転方向の回転により、製氷皿４０も基準回転位置から正転方向に回転する。これにより、ブロックアイスの離氷時と同様に、製氷皿４０にひねりが加わる。
【００７２】
製氷皿温度センサ５の検出温度は−１℃以上であり、氷の付着力が低下しているため、製氷皿４０のひねりによって製氷ブロック４１から氷が離氷する。また、ステップＳ１２〜Ｓ１５の凝集破壊動作により氷の凝集が破壊されているため、各製氷ブロック４１から離氷する氷は、ブロックアイスよりも小さいクラッシュドアイスとなる。離氷した氷は、貯氷容器５０の貯氷エリア５４（図４）に落下する。
【００７３】
その後、制御部１０は、駆動装置３を反転方向に時間ｔｒ１だけ回転させ（ステップＳ８，Ｓ９）、製氷皿４０を基準回転位置に戻す。そして、制御部１０は、駆動装置３を停止し（ステップＳ１０）、満氷検知センサ９ｂにより貯氷容器５０の貯氷エリア５４が満氷状態か否かをチェックする（ステップＳ１１）。貯氷容器５０が満氷状態の場合には製氷動作を停止し、満氷状態でない場合には、上述したステップＳ１に戻る。
【００７４】
このように、この実施の形態１の冷蔵庫１によれば、一つの製氷皿４０を用いて、ブロックアイスとクラッシュドアイスの両方を生成することができる。また、ブロックアイスは貯氷容器５０の貯氷エリア５３に貯蔵され、クラッシュドアイスは貯氷容器５０の貯氷エリア５４に貯蔵されるため、使用者は、引き出し扉１４ａを開放して、２種類の氷のうち所望の大きさの氷を簡単に取り出すことができる。
【００７５】
以上説明した製氷動作のうち、ブロックアイスを生成する工程の流れを「第１の動作モード」と称し、クラッシュドアイスを生成する工程の流れを「第２の動作モード」と称する。すなわち、第１の動作モードでは、製氷皿４０内で生成された氷をそのまま離氷するのに対し、第２の動作モードでは、製氷皿４０内で生成された氷を凝集破壊してから離氷する。
【００７６】
なお、使用者がブロックアイスのみ、またはクラッシュドアイスのみを所望する場合には、貯氷容器５０から仕切板５５を取り外すことにより、貯氷容器５０の全体をブロックアイスまたはクラッシュドアイスの貯氷エリアとして用いることができる。
【００７７】
図９は、製氷皿温度センサ５の検出温度と、製氷皿ヒータ６、給水用電磁弁８および駆動装置３の各動作タイミングとを示すタイミングチャートである。図９において、製氷皿温度センサ５の検出温度の「Ｔａ」は第１の基準温度（例えば−１８℃）であり、「Ｔｂ」は第２の基準温度（例えば−１℃）である。
【００７８】
給水タンク１６（図１）から製氷皿４０への給水と共に、製氷皿温度センサ５の検出温度は上昇し、給水が完了した時点で最大値となる（図９における区間Ｔ１）。その後、吹出口７５から吹き出される冷却空気によって製氷皿４０内の水が冷却され、製氷皿温度センサ５の検出温度は低下する（図９における区間Ｔ２）。
【００７９】
ここでは、使用者がクラッシュドアイスを選択したものとする。製氷皿温度センサ５の検出温度が第１の基準温度Ｔａを下回ると（すなわち製氷皿４０内で氷が生成されると）、駆動装置３が製氷皿４０を回転させてひねりを加える。この温度域では氷の付着強度が氷内部の凝集破壊強度よりも高いため、氷の凝集破壊が生じる。その後、製氷皿４０は基準回転位置に戻る（図９における区間Ｔ３）。
【００８０】
次に、製氷皿ヒータ６が加熱を開始すると、製氷皿温度センサ５の検出温度が上昇する（図９における区間Ｔ４）。製氷皿温度センサ５の検出温度が第２の基準温度Ｔｂに達すると、駆動装置３が製氷皿４０を回転させてひねりを加える。この温度域では氷の付着強度が低下しているため、製氷皿４０から氷が離氷する。離氷する氷は、上記の凝集破壊により、クラッシュドアイスである。その後、製氷皿４０は基準回転位置に戻る（図９における区間Ｔ５）。
【００８１】
その後、再び給水タンク１６から製氷皿４０への給水と共に、製氷皿温度センサ５の検出温度は上昇し、給水が完了した時点で最大値となる（図９における区間Ｔ１１）。その後、吹出口７５から吹き出される冷却空気によって製氷皿４０内の水が冷却され、製氷皿温度センサ５の検出温度は低下する（図９における区間Ｔ１２）。
【００８２】
ここでは、使用者がブロックアイスを選択したものとする。製氷皿温度センサ５の検出温度が第１の基準温度Ｔａを下回ると（すなわち製氷皿４０内で氷が生成されると）、製氷皿ヒータ６が加熱を開始し、製氷皿温度センサ５の検出温度が上昇する（図９における区間Ｔ１３）。製氷皿温度センサ５の検出温度が第２の基準温度Ｔｂに達すると、駆動装置３が製氷皿４０を回転させてひねりを加える。この温度域では氷の付着強度が低下しているため、製氷皿４０から氷（ブロックアイス）が離氷する。その後、製氷皿４０は基準回転位置に戻る（図９における区間Ｔ１４）。
【００８３】
＜製氷皿の材質＞
ここで、製氷皿４０の材質について説明する。上記の通り、製氷皿４０は、金属（より具体的にはステンレス鋼）で形成されている。製氷皿４０を金属とした理由について、図１０を参照して説明する。
【００８４】
図１０は、前野紀一、「氷の付着と摩擦」、雪氷、社団法人日本雪氷学会、２００６年９月、第６８巻、第５号、ｐ．４４９−４５５に示された、異なる物質に対する氷の付着強度の実験結果を示すグラフである。図１０（Ａ）は、ポリスチレンに対する氷の付着強度の温度変化を示す、図１０（Ｂ）は、ステンレス鋼に対する氷の付着強度の温度変化を示す。図１０（Ａ）、（Ｂ）のいずれも、縦軸は氷の付着強度（ｋＰａ）を示し、横軸は温度（℃）を示す。
【００８５】
上記文献には、図１０（Ａ）に示したデータに関し、「データはＪｅｌｌｉｎｅｋ（１９５７ａ）による。氷試料の大きさは、断面積が９．６１ｃｍ２（せん断）と１．５４ｃｍ２（引張り）、長さが０．７６ｍｍ（せん断）と０．１ｃｍ２（引張り）。」と記載されている。また、上記文献には、図１０（Ｂ）に示したデータに関し、「データはＪｅｌｌｉｎｅｋ（１９５７ｂ）とＲａｒａｔｙ  ａｎｄ  Ｔａｂｏｒ（１９５８）による。Ｊｅｌｌｉｎｅｋの氷試料は断面積１．５４ｃｍ２、長さ０．２−４ｃｍ。」と記載されている。
【００８６】
上記文献によると、氷が他の物質に付着するときの付着力は、化学結合、ファンデルワールス力、および静電相互作用の３つの力に分けられる。特に、化学結合とファンデルワールス力は、付着する物質の性質によって決まる。また、水分子は双極子モーメントを有するため、静電相互作用が３つの力の中で最大となる。そのため、表面に電荷が存在する（または表面に電荷が集まりやすい）性質を有する物質であれば、静電相互作用によって氷がより強く付着する。
【００８７】
上記文献に示されたポリスチレンなどの樹脂と比較して、ステンレス鋼などの金属は、表面に電荷が存在する（または表面に電荷が集まりやすい）性質が顕著である。特に、−１３℃より低い温度域では付着強度が氷内部の凝集破壊強度よりも高いため、氷は金属に付着したまま氷内部が破壊される凝集破壊が起きる。また、−１３℃以上の温度域では、物質と氷との界面に擬似液体層が形成され、これにより付着強度が凝集破壊強度を下回り、付着破壊（すなわち離氷）が生じる。
【００８８】
そのため、この実施の形態１では、製氷皿４０を金属（例えばステンレス鋼）で構成すると共に、−１８℃（すなわち−１３℃よりも低い温度域）で製氷皿４０にひねりを加えることにより、氷の凝集破壊を生じさせて、クラッシュドアイスを生成している。
【００８９】
なお、金属と氷との付着破壊は、一般に−１３℃以上で生じるため、離氷時には製氷皿４０と氷との界面の温度が−１３℃以上であればよいと考えられる。しかしながら、冷蔵庫の量産工程または家庭での使用状況によって種々の変動要因が加わるため、離氷時の製氷皿４０と氷との界面の温度は、一般の家庭用冷蔵庫で用いられる樹脂製の製氷皿と同等の付着強度となる温度まで上げることが望ましい。
【００９０】
一般の家庭用冷蔵庫で用いられる樹脂製の製氷皿の場合、離氷時における製氷皿と氷との界面の温度は−１８℃であり、そのときの付着強度は６０ｋＰａである（図１０（Ａ）より）。金属製の製氷皿４０の場合、樹脂と同等の付着強度を得るためには、図１０（Ｂ）から、製氷皿４０と氷との界面の温度は−１℃となる。
【００９１】
なお、ここでは製氷皿４０をステンレス鋼で構成したが、ステンレス鋼に限定されるものではない。ステンレス鋼と同様に、ある温度域で、製氷皿に対する氷の付着強度が氷の凝集破壊強度よりも高くなる材料であればよい。
【００９２】
また、上記の説明では、ブロックアイスおよびクラッシュドアイスの製氷について説明したが、ブロックアイスとクラッシュドアイスに限定されるものではなく、大きさの異なる２種類の氷であればよい。
【００９３】
＜作用効果＞
以上説明したように、本発明の実施の形態１の製氷装置２は、複数の製氷ブロック４１を有する製氷皿４０と、製氷皿４０に保持された水を冷却して氷を生成する冷却部（吹出口７５）と、製氷皿４０を加熱する製氷皿ヒータ６と、製氷皿ヒータ６によって加熱された製氷皿４０に力を加えることで製氷皿４０から氷を離氷させる駆動装置３（離氷装置）とを備え、駆動装置３は、製氷皿４０から離氷する氷の大きさを選択可能に構成されている。そのため、使用者の選択に応じて、一つの製氷皿４０で大きさの異なる複数種類の氷（例えばブロックアイスおよびクラッシュドアイス）を生成することができる。
【００９４】
また、共通の駆動装置３で氷の凝集破壊および離氷の両方を行うことができるため、製氷装置２の構成を簡単にし、製造コストを低減することができる。
【００９５】
また、製氷皿４０の全ての製氷ブロック４１で、使用者が所望する大きさの氷（例えばクラッシュドアイス）を生成することができる。そのため、十分な量の氷を生成することができ、氷の使用量の多い夏期においても、氷切れが生じにくい。
【００９６】
また、第２の動作モード（例えばクラッシュドアイスの生成）では、製氷皿４０から氷を離氷させる前に、製氷皿ヒータ６が製氷皿４０を加熱していない状態で、駆動装置３が製氷皿４０に力を加えることで、製氷皿４０の内部の氷に凝集破壊を生じさせる。そのため、氷の凝集破壊時と離氷時とで駆動装置３の動作を共通にすることができる。
【００９７】
また、製氷皿４０が回転軸Ｃ１を中心として回転可能であり、駆動装置３が製氷皿４０に回転軸Ｃ１周りのひねりを加えるように構成されているため、製氷皿４０に付着した氷の離氷および凝縮破壊を効果的に生じさせることができる。
【００９８】
また、駆動装置３は、第１の大きさの氷（例えばブロックアイス）を離氷する際には製氷皿４０を第１の方向（Ｒ１方向）に回転させ、第２の大きさの氷（例えばクラッシュドアイス）を離氷する際には製氷皿４０を第２の方向（Ｒ２方向）に回転させる。そのため、第１の大きさの氷の落下位置と第２の大きさの氷の落下位置とを異ならせることができ、貯氷容器５０の貯氷エリア５３と貯氷エリア５４とで第１の大きさの氷と第２の大きさの氷とを別々に貯蔵することができる。これにより、使用者が所望の大きさの氷を、貯氷容器５０から容易に取り出すことができる。
【００９９】
また、製氷皿４０は回転軸Ｃ１を中心として回転可能であり、製氷皿４０の回転軸Ｃ１方向の一方の側に駆動装置３が設けられ、他方の側に回転規制部（溝３７およびストッパ４７）が設けられているため、ストッパ４７と溝３７の端部とを当接させた状態で製氷皿４０にひねりを加え、離氷または氷の凝集破壊を行うことができる。
【０１００】
また、製氷皿４０が金属（特にステンレス鋼）で形成されているため、製氷皿４０の内面に対する氷の付着強度を、氷の凝集破壊強度よりも高くすることができる。そのため、製氷皿４０に力を加えることによって、氷の凝集破壊を効果的に生じさせることができる。
【０１０１】
第１の変形例．
図１１（Ａ）は、実施の形態１の第１の変形例の製氷皿４０Ａを示す断面図である。上記の実施の形態１では、製氷皿４０の全体を金属（より具体的にはステンレス）で形成した。これに対し、図１１（Ａ）に示す製氷皿４０Ａは、全体が樹脂で形成されており、製氷ブロック４１の内面に金属層４０１が形成されている。金属層４０１は、例えばステンレスで形成されている。
【０１０２】
このように構成すれば、製氷皿４０Ａの氷に接する面が金属層４０１（ステンレスなど）であるため、実施の形態１と同様に、第１の基準温度（例えば−１８℃）以下で製氷皿４０Ａにひねりを加えることにより、氷の凝集破壊を生じさせてクラッシュドアイスを生成することができる。
【０１０３】
また、製氷皿４０Ａの内面（金属層４０１）以外は樹脂で形成されているため、全体が金属で形成された製氷皿４０よりも変形しやすい。そのため、比較的小さい力で製氷皿４０Ａにひねりを加えることができ、駆動装置３のモータ３ａとして比較的安価なモータを用いることができ、冷蔵庫１の製造コストを低減することができる。
【０１０４】
第２の変形例．
図１１（Ｂ）は、実施の形態１の第２の変形例の製氷皿４０Ｂを示す断面図である。図１１（Ｂ）に示す製氷皿４０Ｂは、全体が樹脂で形成されているが、製氷ブロック４１の内面に粗さ付与層４０２が形成されている。粗さ付与層４０２は、樹脂で形成された製氷皿４０Ｂの内面を粗さ加工することで形成される。
【０１０５】
製氷皿４０Ｂは樹脂で形成されているが、製氷ブロック４１の内面に粗さ付与層４０２が形成されているため、金属の製氷皿と同様の高い氷の付着力が得られる。そのため、第１の基準温度（例えば−１８℃）以下で製氷皿４０Ｂにひねりを加えることにより、氷の凝集破壊を生じさせてクラッシュドアイスを生成することができる。
【０１０６】
さらに、製氷皿４０Ｂの全体が樹脂で形成されており、変形しやすいため、比較的小さい力で製氷皿４０Ａにひねりを加えることができ、駆動装置３のモータ３ａとして比較的安価なモータを用いることができ、冷蔵庫１の製造コストを低減することができる。
【０１０７】
以上、本発明の望ましい実施の形態について具体的に説明したが、本発明は上記の実施の形態に限定されるものではなく、本発明の要旨を逸脱しない範囲において、各種の改良または変形を行なうことができる。
【符号の説明】
【０１０８】
１  冷蔵庫、  ２  製氷装置、  ３  駆動装置（離氷装置）、  ５  製氷皿温度センサ（温度検出センサ）、  ６  製氷皿ヒータ（ヒータ）、  ７  給水ポンプ、  ８  給水用電磁弁、  ９，９ａ，９ｂ  満氷検知センサ、  １０  制御部、  １１  冷蔵室、  １２  操作パネル（操作部）、  １３  給水配管、  １４  製氷室、  １５  切替室、  １６  給水タンク、  １７  冷凍室、  １８  野菜室、  ２０  冷凍サイクル、  ２２  筐体、  ２５  送風機、  ２６  冷却器、  ２８  圧縮機、  ３０  フレーム、  ３５  開口部、  ３７  溝、  ３８  支持穴、  ４０，４０Ａ，４０Ｂ  製氷皿、  ４１  製氷ブロック（区画室）、  ４３，４４  支軸、  ４５  回転板、  ４７  ストッパ、  ５０  貯氷容器、  ５３，５４  貯氷エリア、  ５５  仕切板（仕切壁）、  ７５  吹出口（冷却部）、  ７６  吸込口、  ４０１  金属層、  ４０２  粗さ付与層。
【図１】
0006599027.tif 000002
【図２】
0006599027.tif 000003
【図３】
0006599027.tif 000004
【図４】
0006599027.tif 000005
【図５】
0006599027.tif 000006
【図６】
0006599027.tif 000007
【図７】
0006599027.tif 000008
【図８】
0006599027.tif 000009
【図９】
0006599027.tif 000010
【図１０】
0006599027.tif 000011
【図１１】
0006599027.tif 000012